(57)【特許請求の範囲】
【請求項１】
車両の床下に架装可能とされているフレームと、
該フレーム上に一体に組み込まれるコンデンサおよびコンデンサ用ファンからなるコンデンサユニットと、
前記フレーム上に一体に組み込まれるエバポレータおよびエバポレータ用ファンからなるエバポレータユニットと、を備え、
前記エバポレータユニットは、車室内からダクトを介して導入した空気を前記エバポレータに流通させて温調し、該温調風を前記エバポレータ用ファンおよびダクトを介して車室内に送風する流路を形成するエバポレータボックスを備え、該エバポレータユニットが左右一対のユニットに分割され、車両の幅方向に横長形状とされた前記フレームの左右両端部に分散して配設されており、
前記コンデンサユニットは、前記左右一対のエバポレータユニット間の車両の幅方向に横長形状とされた前記フレームの車両前方側に面する位置の中央部に前記コンデンサが配設され、その後方側に前記コンデンサ用ファンが一体に組み付けられて配設された構成とされていることを特徴とする車両用空気調和装置。
【請求項２】
前記左右一対のエバポレータユニットは、前記フレームの左右両端部に前記エバポレータを内蔵した一対の前記エバポレータボックスが配設され、その幅方向の内側面にファンケーシングが一体に結合されるとともに、該ファンケーシングにファンモータが一体に組み付けられたエバポレータ用ファンが配設された構成とされていることを特徴とする請求項１に記載の車両用空気調和装置。
【請求項３】
前記左右一対のエバポレータユニットは、前記エバポレータボックスに前記車室内からの吸込み側の前記ダクトが接続可能とされ、前記エバポレータ用ファンの吹出し口に前記車室内への送風用の前記ダクトが接続可能とされていることを特徴とする請求項１または２に記載の車両用空気調和装置。
【請求項４】
前記エバポレータボックス内には、前記エバポレータの下流側に暖房用のヒータが収納可能とされていることを特徴とする請求項１ないし３のいずれかに記載の車両用空気調和装置。
【請求項５】
前記コンデンサユニットの前記コンデンサは、前記左右一対のエバポレータユニットを構成する左右一対の前記エバポレータボックス間に配設されていることを特徴とする請求項１ないし４のいずれかに記載の車両用空気調和装置。
【請求項６】
前記コンデンサの幅方向両端部位に対向して、その後方側に前記エバポレータユニットの前記エバポレータ用ファンおよびファンモータが配置されていることを特徴とする請求項１ないし５のいずれかに記載の車両用空気調和装置。
【発明の詳細な説明】
【技術分野】
【０００１】
本発明は、車両の走行用エンジンで圧縮機を駆動する、いわゆる直結方式の車両用空気調和装置に関するものである。
【背景技術】
【０００２】
大型バス等に適用される車両用空気調和装置として、圧縮機を走行用エンジンで駆動する、いわゆる直結方式の車両用空気調和装置と、圧縮機を専用のエンジン（サブエンジンと称している。）で駆動する、いわゆるサブエンジン方式の車両用空気調和装置と、が知られている。また、直結方式の車両用空気調和装置は、コンデンサユニットとエバポレータユニットとを一体化して車両の天井に設置するように構成される天井置き一体型ユニットと、コンデンサユニットとエバポレータユニットとを分離し、エバポレータユニットを車両の天井に設置するとともに、コンデンサユニットを車両の床下に設置するように構成される床下設置分離型ユニットとに分けられる。
【０００３】
この床下設置分離型ユニットの一例として、車室内天井部の左右に前後方向に設けられているダクト内にエバポレータユニットを設置するとともに、車両の前輪と後輪との間の床下において、車両前後方向と直交する方向にコンデンサを配設し、該コンデンサと対向してその後方側に複数個のコンデンサ用ファンを設け、これらコンデンサおよびコンデンサ用ファンとその周辺機器とを１つのフレーム上に配置して一体にユニット化し、車両床下に架装可能としたものが特許文献１に提示されている。
【先行技術文献】
【特許文献】
【０００４】
【特許文献１】特許第３３５８２８９号公報
【発明の概要】
【発明が解決しようとする課題】
【０００５】
直結方式の車両用空気調和装置で天井置き一体型ユニットの場合は、重量物が天井に設置されることから、車両の転倒角や走行安定性に影響を及ぼすとともに、メンテナンスや整備等の作業が高所作業になるという問題があった。一方、床下設置分離型ユニットの場合は、一部ユニットが床下に設置されるため、車両の転倒角や走行安定性に対する影響は緩和されるが、床下に設置スペースを確保する必要があることから、床下のトランクスペースが縮小されることは避けられないとともに、エバポレータユニットとコンデンサユニットとに分離された構造のため、架装性が低下するという問題があった。
【０００６】
また、特許文献１のものは、床下設置分離型ユニットに属することから、トランクスペースが縮小されるだけでなく、天井置き一体型ユニットに比べて架装性が低下するという問題があり、仮にトランクスペースのある程度の縮小を容認したとしても、なお架装性の低下や車両の転倒角あるいは走行安定性に影響を及ぼす等の問題が未解決のまま残るという課題があった。
【０００７】
本発明は、このような事情に鑑みてなされたものであって、床下トランクスペースのある程度の縮小を容認しつつ、車両の転倒角や走行安定性への影響あるいは架装性の低下を改善できる車両用空気調和装置を提供することを目的とする。
【課題を解決するための手段】
【０００８】
上記課題を解決するために、本発明の車両用空気調和装置は、以下の手段を採用する。
すなわち、本発明にかかる車両用空気調和装置は、車両の床下に架装可能とされているフレームと、該フレーム上に一体に組み込まれるコンデンサおよびコンデンサ用ファンからなるコンデンサユニットと、前記フレーム上に一体に組み込まれるエバポレータおよびエバポレータ用ファンからなるエバポレータユニットと、を備え、前記エバポレータユニットは、車室内からダクトを介して導入した空気を前記エバポレータに流通させて温調し、該温調風を前記エバポレータ用ファンおよびダクトを介して車室内に送風する流路を形成するエバポレータボックスを備え、該エバポレータユニットが左右一対のユニットに分割され、車両の幅方向に横長形状とされた前記フレームの左右両端部に分散して配設されており、前記コンデンサユニットは、前記左右一対のエバポレータユニット間の車両の幅方向に横長形状とされた前記フレームの車両前方側に面する位置の中央部に前記コンデンサが配設され、その後方側に前記コンデンサ用ファンが一体に組み付けられて配設された構成とされていることを特徴とする。
【０００９】
本発明によれば、車両の床下に架装可能とされているフレームと、該フレーム上に一体に組み込まれるコンデンサおよびコンデンサ用ファンからなるコンデンサユニットと、フレーム上に一体に組み込まれるエバポレータおよびエバポレータ用ファンからなるエバポレータユニットと、を備え、エバポレータユニットは、車室内からダクトを介して導入した空気をエバポレータに流通させて温調し、該温調風をエバポレータ用ファンおよびダクトを介して車室内に送風する流路を形成するエバポレータボックスを備え、そのエバポレータユニットが左右一対のユニットに分割され、車両の幅方向に横長形状とされたフレームの左右両端部に分散して配設されており、コンデンサユニットは、左右一対のエバポレータユニット間の車両の幅方向に横長形状とされたフレームの車両前方側に面する位置の中央部にコンデンサが配設され、その後方側にコンデンサ用ファンが一体に組み付けられて配設された構成とされているため、フレーム上にコンデンサユニットとエバポレータユニットとを一体に組み込んだ一体型ユニットとして床下に架装し、ダクトを介して車室内からの空気を吸込み、エバポレータユニットで温調した後、ダクトを介して車室内に送風することにより、車室内を空調することができる。従って、床下のトランクスペースがある程度縮小されるが、空気調和装置を構成するコンデンサユニットおよびエバポレータユニットを一体化して床下に架装できることから、車両の転倒角や走行安定性への影響を完全に排除することができるとともに、架装性や整備性およびメンテナンス性を向上することができる。また、車室内の空調に必要な容量を有するエバポレータユニットを左右一対のユニットに分割し、その一対のユニットをフレームの左右両端部に分散して配設することにより、個々のユニットを小容量化してエバポレータユニットの前後方向寸法を小さくすることができるとともに、エバポレータ用ファンやそのファンケーシングおよびファンモータ等を小型化することにより高密度配置することができるため、ユニット全体をコンパクト化して床下設置スペースを可及的に小さくし、トランクスペースの縮小を抑えることができるとともに、ファンモータの電気容量を低下し、電流値の小さい安価な汎用モータを使うことができる。更に、コンデンサユニットが、左右一対のエバポレータユニット間の車両の幅方向に横長形状とされているフレームの長さ方向に沿って、その車両前方側に面する位置の中央部に横長形状とされたコンデンサが走行時のラム圧を利用できる態様で配置され、その後方側にコンデンサ用ファンが一体に組み付けられることにより配設されているため、ユニット全体の前後方向寸法を抑えたまま大きなコンデンサを配置することができ、凝縮性能を十分に確保することができる。
【００１０】
さらに、本発明の車両用空気調和装置は、上記の車両用空気調和装置において、前記左右一対のエバポレータユニットは、前記フレームの左右両端部に前記エバポレータを内蔵した一対の前記エバポレータボックスが配設され、その幅方向の内側面にファンケーシングが一体に結合されるとともに、該ファンケーシングにファンモータが一体に組み付けられたエバポレータ用ファンが配設された構成とされていることを特徴とする。
【００１１】
本発明によれば、左右一対のエバポレータユニットが、フレームの左右両端部にエバポレータを内蔵した一対のエバポレータボックスが配設され、その幅方向の内側面にファンケーシングが一体に結合されるとともに、該ファンケーシングにファンモータが一体に組み付けられたエバポレータ用ファンが配設された構成とされているため、左右一対のエバポレータユニットを、それぞれエバポレータを内蔵したエバポレータボックスの内側面にエバポレータ用ファンのファンケーシングを一体に結合するとともに、該ファンケーシングにファンモータを一体に組み付けた構成として、フレームの左右両端部に対称的に配置することができる。従って、エバポレータユニットを単一の大きなユニットとして配設する場合に比べ、バランスの取れた納まりの良いレイアウトとして高密度に配置でき、ユニット全体をコンパクト化、特にユニットの前後方向寸法を小さ目に抑え、床下設置スペースを可及的に小さくすることによってトランクスペースの縮小を抑えることができる。
【００１２】
さらに、本発明の車両用空気調和装置は、上述のいずれかの車両用空気調和装置において、前記左右一対のエバポレータユニットは、前記エバポレータボックスに前記車室内からの吸込み側の前記ダクトが接続可能とされ、前記エバポレータ用ファンの吹出し口に前記車室内への送風用の前記ダクトが接続可能とされていることを特徴とする。
【００１３】
本発明によれば、左右一対のエバポレータユニットが、エバポレータボックスに車室内からの吸込み側のダクトが接続可能とされ、エバポレータ用ファンの吹出し口に車室内への送風用のダクトが接続可能とされているため、左右一対のエバポレータユニットに対して、そのエバポレータボックスおよびエバポレータ用ファンの吹出し口にそれぞれダクトを接続することにより、車室内の左右から空気を吸込み、左右のエバポレータで温調した後、その温調風を送風用のダクトを介して車室内側に送風することができる。これによって、温調風を左右均等に分配することができるとともに、左右独立に温調することも可能となり、左右の座席列に対して合理的な空調を実現でき、空調性能およびフィーリングの向上を図ることができる。
【００１４】
さらに、本発明の車両用空気調和装置は、上述のいずれかの車両用空気調和装置において、前記エバポレータボックス内には、前記エバポレータの下流側に暖房用のヒータが収納可能とされていることを特徴とする。
【００１５】
本発明によれば、エバポレータボックス内に、エバポレータの下流側に暖房用のヒータが収納可能とされているため、必要に応じてエバポレータボックス内に暖房用のヒータを設置することによって、冷房および暖房以外にも、除湿機能を付加することができる。従って、天井置きユニットでは困難とされている除湿機能を備えた高機能の直結方式の車両用空気調和装置を簡便に提供することができる。
【００１６】
さらに、本発明の車両用空気調和装置は、上述のいずれかの車両用空気調和装置において、前記コンデンサユニットの前記コンデンサは、前記左右一対のエバポレータユニットを構成する左右一対の前記エバポレータボックス間に配設されていることを特徴とする。
【００１７】
本発明によれば、コンデンサユニットのコンデンサが、左右一対のエバポレータユニットを構成する左右一対のエバポレータボックス間に配設されているため、横長形状とされたフレームの左右両端部に配設されている左右一対のエバポレータボックス間に横長形状のコンデンサを納まりよく配設し、その後方側の空間にコンデンサ用ファンを配設することができる。従って、コンデンサユニットを左右一対のエバポレータユニット間にバランスよく配置することができ、全体として左右にバランスの取れた納まりのよいユニット構成とすることができる。
【００１８】
さらに、本発明の車両用空気調和装置は、上述のいずれかの車両用空気調和装置において、前記コンデンサの幅方向両端部位に対向して、その後方側に前記エバポレータユニットの前記エバポレータ用ファンおよびファンモータが配置されていることを特徴とする。
【００１９】
本発明によれば、コンデンサの幅方向両端部位に対向して、その後方側にエバポレータユニットのエバポレータ用ファンおよびファンモータが配置されているため、横長形状のフレームの車両前方側に面する位置の中央部に配設されている横長形状のコンデンサの幅方向両端部位に対向するように、その後方側の空間を利用して左右一対のエバポレータボックスの内側面に結合されている小型化されたエバポレータ用ファンおよびファンモータを配置することができる。従って、コンデンサの後方側スペースを巧く利用してエバポレータユニットのエバポレータ用ファンおよびファンモータを配置することができ、ユニット全体をコンパクト化することができる。
【発明の効果】
【００２０】
本発明によると、フレーム上にコンデンサユニットとエバポレータユニットとを一体に組み込んだ一体型ユニットとして床下に架装し、ダクトを介して車室内からの空気を吸込み、それをエバポレータユニットで温調した後、ダクトを介して車室内に送風することにより、車室内を空調することができるため、床下のトランクスペースがある程度縮小されるが、空気調和装置を構成するコンデンサユニットおよびエバポレータユニットを一体化して床下に架装できることから、車両の転倒角や走行安定性への影響を完全に排除することができるとともに、架装性や整備性およびメンテナンス性を向上することができる。また、車室内の空調に必要な容量を有するエバポレータユニットを左右一対のユニットに分割し、その一対のユニットをフレームの左右両端部に分散して配設することにより、個々のユニットを小容量化してエバポレータユニットの前後方向寸法を小さくすることができるとともに、エバポレータ用ファンやそのファンケーシングおよびファンモータ等を小型化することにより高密度配置することができるため、ユニット全体をコンパクト化して床下設置スペースを可及的に小さくし、トランクスペースの縮小を抑えることができるとともに、ファンモータの電気容量を低下し、電流値の小さい安価な汎用モータを使うことができる。更に、コンデンサユニットが、左右一対のエバポレータユニット間の車両の幅方向に横長形状とされているフレームの長さ方向に沿い、その車両前方側に面する位置の中央部に横長形状とされたコンデンサが走行時のラム圧を利用できる態様で配置され、その後方側にコンデンサ用ファンが一体に組み付けられることにより配設されているため、ユニット全体の前後方向寸法を抑えたまま大きなコンデンサを配置することができ、凝縮性能を十分に確保することができる。
【図面の簡単な説明】
【００２１】
【図１】本発明の一実施形態に係る車両用空気調和装置を搭載した大型バスを前方上方から見た斜視図である。
【図２】図１に示す車両用空気調和装置の斜め上方から見た斜視図である。
【図３】図２に示す車両用空気調和装置を前方側（車両の後方側）から見た側面図である。
【図４】図２に示す車両用空気調和装置を真上から見た平面図である。
【図５】図２に示す車両用空気調和装置を後方側（車両の前方側）から見た側面図である。
【発明を実施するための形態】
【００２２】
以下に、本発明にかかる実施形態について、図１から図５を参照して説明する。
図１には、本発明の一実施形態に係る車両用空気調和装置を搭載した大型バスの斜視図が示され、図２には、その車両用空気調和装置の斜視図が示されている。
バス車両（車両）１には、車室内の天井の両側に前後方向に沿って空調用ダクト（図示省略）が配設されているとともに、座席下の両側に前後方向に沿って空調用ダクト（図示省略）が配設されている。なお、これら空調用ダクトから吹出される温調風（冷風または温風）が矢印ＡないしＣによって示されている。
【００２３】
バス車両１の走行用エンジン（図示省略）は、車両の後方部に搭載され、その走行用エンジンを動力源として駆動される車両用空気調和装置１０の２台の圧縮機１１Ａ，１１Ｂおよびプレヒータ１２が車両後方部に配置されている。車両用空気調和装置１０は、バス車両１の床下に設置される一体型ユニットであり、ユニット本体１３は、バス車両１の前輪２と後輪３との間において、前輪２寄りの位置に車両の幅方向に横置き状態で架装されている。なお、観光バス１等では、前輪２と後輪３との間が荷物を積むトランクスペースとされており、その一部に車両用空気調和装置１０のユニット本体１３を架装することによりトランクスペースが縮小されるため、可能な限りユニット本体１３を小型化することが望まれている。
【００２４】
ユニット本体１３は、バス車両１の床下に架装可能とされているフレーム１４上に車両用空気調和装置１０を構成するエバポレータユニット１５とコンデンサユニット１６とを一体的に組み込んだものであり、フレーム１４を介して床下の上記位置に着脱自在に架装されるようになっている。フレーム１４は、バス車両１の幅方向に沿って長い横長形状であって、剛性を確保できるように枠組み構造のフレームとされている。
【００２５】
エバポレータユニット１５は、バス車両１の車室内を空調するのに必要な容量を有するユニットが左右一対のエバポレータユニット１５Ａ，１５Ｂとして２分割された構成とされており、従って、個々のユニット１５Ａ，１５Ｂとしては、２分の１の容量に小容量化された構成とされている。この２分割された左右一対のエバポレータユニット１５Ａ，１５Ｂは、同一構成とされており、フレーム１４の左右両端部に分散して配設されるようになっている。
【００２６】
左右一対のエバポレータユニット１５Ａ，１５Ｂは、空気吸込み口１７を有し、内部に空気流路が形成されているエバポレータボックス１８と、エバポレータボックス１８内の空気流路中に設置されているエバポレータ１９と、エバポレータ１９の下流側に設置可能な暖房用ヒータ（図示省略）と、エバポレータボックス１８の幅方向の内側面に設置されているエバポレータ用ファン２０と、該エバポレータ用ファン２０を回転駆動するファンモータ２１等とから構成されている。
【００２７】
エバポレータボックス１８の空気吸込み口１７には、車室内の空気を吸込むダクト（図示省略）が接続可能とされており、該ダクトを介して矢印Ｅ，Ｆ（図１参照）の如く吸込まれた空気は、エバポレータボックス１８内の空気流路を流れる間にエバポレータ１９および／または暖房用ヒータ（図示省略）を流通し、冷却または加熱される。ここで温調された空気は、エバポレータボックス１８の内側面に設けられている開口を介してエバポレータ用ファン２０に吸引されるように構成されている。
【００２８】
エバポレータ用ファン２０は、エバポレータボックス１８の内側面に一体に結合されるファンケーシング２２の一側に吸込み口を備えているシロッコファンによって構成されており、エバポレータボックス１８から吸込み口を介して吸込んだ温調風を羽根車（図示省略）によって昇圧し、吹出し口２３に接続可能とされている送風用ダクト（図示省略）を経て、矢印Ｇ，Ｈ（図１参照）の如く車室内側の空調用ダクトに温調風を送風するようになっている。このエバポレータ用ファン２０は、ファンケーシング２２の他側面に一体に組み付けられているファンモータ２１により駆動されるように構成されている。
【００２９】
また、コンデンサユニット１６は、コンデンサ２４と、その後方面側に一体に組み付けられた複数台のコンデンサ用ファン（プロペラファン）２５およびファンシュラウド２６等とから構成されている。コンデンサ２４は、横長長方形状の熱交換器であって、横長形状のフレーム１４の車両前方側に面する位置の略中央部にその長さ方向に沿って配設されている。このコンデンサ２４は、左右一対のエバポレータユニット１５Ａ，１５Ｂを構成しているエバポレータボックス１８の内側面間に納まる長さ寸法とされており、一対のエバポレータボックス１８間に配設されている。
【００３０】
コンデンサ用ファン２５は、上記の如く配設されたコンデンサ２４の後方面側に、ファンシュラウド２６を介して後方の空間に突出するように複数台並設されている。更に、このように配設されたコンデンサユニット１６に対して、その幅方向の両端部位に対向するように、左右一対のエバポレータユニット１５Ａ，１５Ｂを構成しているエバポレータ用ファン２０およびその駆動用ファンモータ２１が、コンデンサ２４の後方側の空間を利用して配設されている。
【００３１】
なお、上記した圧縮機１１Ａ，１１Ｂ、コンデンサ２４、図示省略のレシーバおよび膨張弁、エバポレータ１９、アキュームレータ等が冷媒配管を介して接続され、公知の如く密閉サイクルとされた冷媒回路を構成している。また、エバポレータボックス１８内に設置される暖房用ヒータ（図示省略）には、暖房用の熱源とされる走行用エンジンの冷却水が、図示省略の冷却水回路を介して循環可能に構成されている。
【００３２】
以上に説明の構成により、本実施形態によれば、以下の作用効果を奏する。
上記車両用空気調和装置１０において、冷房時、車室内からダクトを介して矢印Ｅ，Ｆの如く左右一対のエバポレータユニット１５Ａ，１５Ｂの空気吸込み口１７に吸込まれた空気は、エバポレータボックス１８内を流れる間にエバポレータ１９を通過することにより冷却され、エバポレータ用ファン２０に吸込まれる。エバポレータ用ファン２０で昇圧された温調風（冷風）は、その吹出し口２３からダクトを介して車室内の天井に配設されている前後方向の空調用ダクトに供給され、矢印Ａ，Ｂの如く座席側に向って吹出されることにより、冷房に供される。
【００３３】
一方、暖房時、矢印Ｅ，Ｆの如く空気吸込み口１７から吸込まれた車室内空気は、エバポレータボックス１８内を流れる間に暖房用ヒータ（図示省略）を通過することにより加熱される。この温調風（温風）は、エバポレータ用ファン２０によりその吹出し口２３からダクトを介して車室内の座席下に配設されている空調用ダクトに供給され、矢印Ｃ，Ｄの如く座席下から上方に向って吹出されることによって、暖房に供される。この際、圧縮機１１Ａ，１１Ｂは停止されているため、エバポレータ１９の冷却機能も停止状態とされている。
【００３４】
また、除湿時、空気吸込み口１７から吸込まれた車室内空気は、エバポレータ１９で冷却されることにより空気中の水分が凝縮除去され、低湿度の冷却空気となる。この冷却空気をエバポレータ１９の下流側に設置されている暖房用ヒータ（図示省略）で加熱することにより除湿空気となし、空調用ダクトを介して車室内に吹出すことによって、車室内の除湿に供することができる。
なお、上記の冷房時および除湿時、圧縮機１１Ａ，１１Ｂにより圧縮された冷媒ガスを放熱して凝縮液化するため、コンデンサユニット１６では、コンデンサ２４に対してコンデンサ用ファン２５により吸引される外気が、矢印Ｉの如く車両の前方側およびサイド側から吸引されて流通されるようになっている。
【００３５】
しかるに、本実施形態では、左右一対のエバポレータユニット１５Ａ，１５Ｂとコンデンサユニット１６とをフレーム１４上に一体に組み込んだ一体型ユニットとし、そのユニット本体１３を車両１の床下に架装し、ダクトを介して車室内からの空気を吸込み、エバポレータユニット１５Ａ，１５Ｂで温調した後、ダクトを介して車室内に送風することにより、車室内を空調するようにしている。従って、床下のトランクスペースがある程度縮小されることになるものの、空気調和装置１０を構成するコンデンサユニット１６およびエバポレータユニット１５Ａ，１５Ｂを一体化して床下に架装できることから、車両１の転倒角や走行安定性への影響を完全に排除することができるとともに、架装性や整備性およびメンテナンス性を格段に向上することができる。
【００３６】
また、車室内の空調に必要な容量を有するエバポレータユニット１５を左右一対のユニット１５Ａ，１５Ｂに分割し、その分割された一対のエバポレータユニット１５Ａ，１５Ｂを横長形状とされたフレーム１４の左右両端部に分散して配設している。このため、フレーム１４の左右両端部に配設される個々のエバポレータユニット１５Ａ，１５Ｂを小容量化し、エバポレータユニット１５Ａ，１５Ｂの前後方向寸法を小さくするとともに、エバポレータ用ファン２０やそのファンケーシング２２およびファンモータ２１等を小型化することによって、それらを高密度配置することができる。従って、ユニット本体１３をコンパクト化して床下設置スペースを可及的に小さくし、トランクスペースの縮小を抑えることができるとともに、ファンモータ２１の電気容量を低下し、電流値の小さい安価な汎用モータを使うことが可能となる。
【００３７】
また、左右一対のエバポレータユニット１５Ａ，１５Ｂを、それぞれエバポレータ１９を内蔵したエバポレータボックス１８の内側面にエバポレータ用ファン２０のファンケーシング２２を一体に結合するとともに、該ファンケーシング２２にファンモータ２１を一体に組み付けた構成として、それをフレーム１４の左右両端部に対称的に配置することができる。これによって、エバポレータユニット１５Ａ，１５Ｂを単一の大きなユニットとして配設する場合に比べ、バランスの取れた納まりの良いレイアウトとして高密度に配置でき、ユニット本体１３を全体的にコンパクト化し、特にユニット本体１３の前後方向寸法を小さ目に抑え、床下設置スペースを可及的に小さくすることによってトランクスペースの縮小を抑えることができる。
【００３８】
さらに、左右一対のエバポレータユニット１５Ａ，１５Ｂのエバポレータボックス１８に車室内からの吸込み側のダクトを接続するとともに、エバポレータ用ファン２０の吹出し口に車室内への送風用のダクトが接続することにより、左右一対のエバポレータユニット１５Ａ，１５Ｂに対して、車室内の左右から空気を吸込み、左右のエバポレータ１９で温調した後、その温調風を送風用のダクトを介して車室内側に送風することができる。従って、温調風を左右均等に分配することができるとともに、左右独立に温調することも可能となり、左右の座席列に対して合理的な空調を実現でき、空調性能およびフィーリングの向上を図ることができる。
【００３９】
また、エバポレータボックス１８内のエバポレータ１９の下流側に、必要に応じて暖房用のヒータを設置することによって、冷房および暖房以外にも、除湿機能を付加することができる。その結果、天井置きユニットでは困難とされている除湿機能を備えた高機能の直結方式の車両用空気調和装置１０を簡便に提供することができる。
【００４０】
さらに、コンデンサユニット１６は、横長形状とされたフレーム１４の車両前方側に面する位置の中央部にコンデンサ２４が配設され、その後方側にコンデンサ用ファン２５が一体に組み付けられて配設された構成とされており、このため、車両１の幅方向に横長形状とされているフレーム１４の長さ方向に沿って、その車両前方側に面する位置の中央部に横長形状とされた大型のコンデンサ２４を、走行時のラム圧を利用できる態様で配置することが可能となる。従って、ユニット本体１３の前後方向寸法を抑えたまま大きなコンデンサ２４を配置することができ、凝縮性能を十分に確保することができる。
【００４１】
同様に、コンデンサ２４が、左右一対のエバポレータユニット１５Ａ，１５Ｂを構成する左右一対のエバポレータボックス１８間に配設されているため、横長形状とされたフレーム１４の左右両端部に配設されている左右一対のエバポレータボックス１８間に横長形状のコンデンサ２４を納まりよく配設することができ、更に、その後方側の空間にコンデンサ用ファン２５を配設することができる。従って、コンデンサユニット１６を左右一対のエバポレータユニット１５Ａ，１５Ｂ間にバランスよく配置することができ、全体として左右にバランスの取れた納まりのよいユニット構成とすることができる。
【００４２】
また、コンデンサユニット１６の幅方向両端部位に対向して、その後方側に左右一対のエバポレータユニット１５Ａ，１５Ｂのエバポレータ用ファン２０およびファンモータ２１を配置するようにしている。このため、横長形状のフレーム１４の車両前方側に面する位置の中央部に配設されている横長形状のコンデンサ２４の幅方向両端部位に対向するように、その後方側の空間を利用して左右一対のエバポレータボックス１８の内側面に結合されている小型化されたエバポレータ用ファン２０およびファンモータ２１を配置することができる。従って、コンデンサ２４の後方側スペースを巧く利用してエバポレータユニット１５Ａ，１５Ｂのエバポレータ用ファン２０およびファンモータ２１を配置することができ、ユニット全体をコンパクト化することができる。
【００４３】
なお、本発明は、上記実施形態にかかる発明に限定されるものではなく、その要旨を逸脱しない範囲において、適宜変形が可能である。例えば、上記実施形態では、エバポレータユニット１５Ａ，１５Ｂおよびコンデンサユニット１６等の主要構成部品のみについて説明したが、圧縮機１１Ａ，１１Ｂを除く他の構成機器や配管類、コントローラ等もユニット本体１３に一体に組み込まれていることは云うまでもない。また、圧縮機１１Ａ，１１Ｂについては、２台の例を図示したが、必ずしも２台である必要はない。
【符号の説明】
【００４４】
１  バス車両（車両）
１０  車両用空気調和装置
１１Ａ，１１Ｂ  圧縮機
１３  ユニット本体
１４  フレーム
１５，１５Ａ，１５Ｂ  エバポレータユニット
１６  コンデンサユニット
１７  空気吸込み口
１８  エバポレータボックス
１９  エバポレータ
２０  エバポレータ用ファン
２１  ファンモータ
２３  吹出し口
２４  コンデンサ
２５  コンデンサ用ファン
【図１】
0005523850.tif 000002
【図２】
0005523850.tif 000003
【図３】
0005523850.tif 000004
【図４】
0005523850.tif 000005
【図５】
0005523850.tif 000006